(57)【要約】【課題】凝縮水の排出経路が、冷却による凝縮を回避したい部分をまたぐ構造になっている場合であっても、当該部分の冷却を回避することが可能な空気調和装置を提供する。【解決手段】後方熱交換器１０ｂと、後方ドレンパン７０と、ガイドリブ７６ａ〜７６ｃとを備えている。後方ドレンパン７０は、鉛直面部７５、上方ドレンパン７２および下方ドレンパン７７を有している。この鉛直面部７５は、略鉛直に広がっている部材である。上方ドレンパン７２は、鉛直面部７５から見て一方向側に向けて上端から延びている。下方ドレンパン７７は、鉛直面部７５の一方向側とは略反対側の他方向側に向けて低い位置から延びている。この後方ドレンパン７０は、後方熱交換器１０ｂで生じた凝縮水を上方ドレンパン７２で受けて鉛直面部７５をまたいで下方ドレンパン７７を介して排出口８０まで導かれるように傾斜して配設されている。ガイドリブ７６ａ〜７６ｃは、鉛直面部７５の上端近傍から他方向側に向けて延びるように設けられている。【選択図】図１１
2008304184.tif 000002
【特許請求の範囲】
【請求項１】
熱交換によって生じた凝縮水を排出口（８０）まで導いて排出する空気調和装置（１００）であって、
熱交換器（１０ｂ）と、
略鉛直に広がっており前記熱交換器（１０ｂ）で生じた凝縮水の付着を回避したい部材である所定鉛直部材（７５）と、前記所定鉛直部材（７５）から見て一方向側に配置されており前記凝縮水を受ける高ガイド部（７２、７３、７４）と、前記所定鉛直部材（７５）の前記一方向側とは略反対側の他方向側であって前記高ガイド部（７２、７３、７４）よりも低い位置に配置されており前記凝縮水を前記排出口（８０）まで導く低ガイド部（７７）と、前記凝縮水を受けて前記低ガイド部（７７）に導くリブ（７６ａ、７６ｂ、７６ｃ）と、を有するフレーム（５０）と、
を備え、
前記リブ（７６ａ、７６ｂ、７６ｃ）と前記高ガイド部（７２、７３、７４）とは、前記高ガイド部が受けた前記凝縮水が前記リブ（７６ａ、７６ｂ、７６ｃ）に導かれるように繋がっている、
空気調和装置（１００）。
【請求項２】
前記リブ（７６ａ、７６ｂ、７６ｃ）は、前記他方向側下方に傾斜した部分を、前記他方向側に有している、
請求項１に記載の空気調和装置（１００）。
【請求項３】
前記リブ（７６ａ、７６ｂ、７６ｃ）は、互いに離れて設けられる、第１リブ（７６ａ、７６ｂ）と、前記第１リブ（７６ａ、７６ｂ）から見て下方であって前記他方向側に配置された第２リブと（７６ｂ、７６ｃ）、を有しており、
前記第１リブ（７６ａ、７６ｂ）と前記第２リブ（７６ｂ、７６ｃ）とは、上面視において少なくとも一部が重なるように位置している、
請求項１または２に記載の空気調和装置（１００）。
【発明の詳細な説明】
【技術分野】
【０００１】
本発明は、熱交換器で生じた凝縮水を排出する空気調和装置に関する。
【背景技術】
【０００２】
従来、空気調和装置では、冷房運転時や除湿運転時に室内空気が熱交換器で熱交換され、空気中の水分が熱交換器の表面において凝縮されて凝縮水が生じた場合に、排水機構を介して排水している。
【０００３】
この場合、熱交換器の表面において凝縮された凝縮水は、空気中の水分が冷やされて生じた水であるため、温度が低い。このため、このような冷たい凝縮水を排水口まで導く途中において、流れている部分が冷たい凝縮水により冷やされて、冷やされた部分に２次的な凝縮が生じてしまうことがある。
【０００４】
これに対して、例えば、以下に示す特許文献１に記載の空気調和装置では、排水機構として、冷却による凝縮を生じさせたくない部分と凝縮水が流れている部分との間に空間を設けることで、２次的な凝縮を回避しつつ排水する空気調和装置が考案されている。
【特許文献１】特開平９−９６４２３号公報
【発明の開示】
【発明が解決しようとする課題】
【０００５】
しかし、上述した特許文献１に記載の空気調和装置では、例えば、冷却による凝縮を生じさせたくない部分が長く大きい場合には、それに対応するだけの空間を設ける必要があり、このような空間を設けるための構造が大がかりなものになってしまったり、部品点数が増大し、製造コストが向上してしまうことがある。
【０００６】
そして、上記特許文献１に記載の空気調和装置では、２次的な凝縮を防ぐために設けられる空間は、凝縮水が導かれる流れに沿うように設けられる構造、すなわち、凝縮を生じさせたくない部分に沿うように設けられる構造となっている。このため、冷たい凝縮水を、凝縮を生じさせたくない部分をまたぐように流す構造の場合には、同様の技術を適用することができず、当該部分の冷却を抑えることが困難である。
【０００７】
本発明は、上述した点に鑑みてなされたものであり、本発明の課題は、凝縮水の排出経路が、冷却による凝縮を回避したい部分をまたぐ構造になっている場合であっても、当該部分の冷却を回避することが可能な空気調和装置を提供することにある。
【課題を解決するための手段】
【０００８】
第１発明に係る空気調和装置は、熱交換によって生じた凝縮水を排出口まで導いて排出する空気調和装置であって、熱交換器と、フレームとを備えている。フレームは、所定鉛直部材、高ガイド部、低ガイド部およびリブを有している。所定鉛直部材は、略鉛直に広がっており熱交換器で生じた凝縮水の付着を回避したい部材である。高ガイド部は、所定鉛直部材から見て一方向側に配置されており凝縮水を受ける。低ガイド部は、所定鉛直部材の一方向側とは略反対側の他方向側であって高ガイド部よりも低い位置に配置されており凝縮水を排出口まで導く。リブは、凝縮水を受けて低ガイド部に導く。リブと高ガイド部とは、高ガイド部が受けた凝縮水がリブに導かれるように繋がっている。
【０００９】
ここでは、熱交換器における熱交換によって冷却されて生じる凝縮水は、高ガイド部側で受け止められて、高ガイド部が受けた凝縮水が所定鉛直部材の上方部分を超えてリブに導かれた後、低ガイド部上を流れる。このため、熱交換器で生じた凝縮水は、排水口まで導かれる。
【００１０】
したがって、熱交換器で生じた凝縮水は、所定鉛直部材を伝うことがなく、所定鉛直部材に直接触れることなく排水させることができ、所定鉛直部材が冷えることを防ぐことができる。
【００１１】
これにより、凝縮水の排出経路が、冷却による凝縮を回避したい所定鉛直部材をまたぐ構造になっている場合であっても、当該所定鉛直部材の冷却を回避することが可能になり、所定鉛直部材が冷却されることによって生じる２次的な凝縮を抑えることが可能になる。
【００１２】
第２発明に係る空気調和装置は、第１発明に係る空気調和装置であって、他方向側下方に傾斜した部分を、他方向側に有している。
【００１３】
ここでは、リブの他方向側が他方向側下方に傾斜しているため、リブの上面を流れた後に裏面を伝って所定鉛直部材にまで戻るような凝縮水の流れを阻止することができる。
【００１４】
これにより、より確実に所定鉛直部材の冷却を避けることが可能になる。
【００１５】
第３発明に係る空気調和装置は、第１発明または第２発明に係る空気調和装置であって、リブは、互いに離れて設けられる、第１リブと第２リブとを有している。第２リブは、第１リブから見て下方であって他方向側に配置されている。そして、第１リブと第２リブとは、上面視において少なくとも一部が重なるように位置している。
【００１６】
ここでは、第１リブと第２リブとが互いに離れて配置されているため、第１リブ上を凝縮水が伝うことによって第１リブが冷やされたとしても、凝縮水は、他方側に離れた位置にある第２リブへと伝っていく。これにより、凝縮水によって冷やされる部分をできるだけ所定鉛直部材から離すことができる。さらに、第１リブが冷やされることで第１リブの裏面側において２次的な凝縮が生じたとしても、この２次的な凝縮によって生じた凝縮水は、所定鉛直部材に触れることなく、第１リブの裏面を沿うようにして第１リブの他方向側から第２リブに導かれ、所定鉛直部材の冷却をより確実に回避することが可能になる。
【発明の効果】
【００１７】
第１発明の空気調和装置では、凝縮水の排出経路が、冷却による凝縮を回避したい所定鉛直部材をまたぐ構造になっている場合であっても、当該所定鉛直部材の冷却を回避することが可能になり、所定鉛直部材が冷却されることによって生じる２次的な凝縮を抑えることが可能になる。
【００１８】
第２発明の空気調和装置では、リブの上面を流れた後に裏面を伝って所定鉛直部材にまで戻るような凝縮水の流れを阻止することができ、より確実に所定鉛直部材の冷却を避けることが可能になる。
【００１９】
第３発明の空気調和装置では、凝縮水によって冷やされる部分をできるだけ所定鉛直部材から離すことができる。さらに、第１リブの裏面側において２次的な凝縮が生じたとしても、所定鉛直部材に触れることなく、第１リブの裏面を沿うようにして第１リブの他方向側から第２リブに導かれ、所定鉛直部材の冷却をより確実に回避することが可能になる。
【発明を実施するための最良の形態】
【００２０】
以下、図面に基づいて、本発明に係る空気調和装置の実施形態について説明する。
【００２１】
＜空気調和装置の概略構成＞
本発明の一実施形態が採用された空気調和装置１００は、室内の壁面に設置される室内機１と、室外に設置される室外機２とを備えている。
【００２２】
室内機１内および室外機２内にはそれぞれ熱交換器が収納されており、各熱交換器が冷媒配管５により接続されることにより冷媒回路を構成している。
【００２３】
＜空気調和装置１００の冷媒回路の構成概略＞
空気調和装置１００の冷媒回路の構成を図１に示す。
【００２４】
この冷媒回路は、主として室内熱交換器１０、アキュムレータ２１、圧縮機２２、四路切換弁２３、室外熱交換器２０および膨張弁２４で構成される。
【００２５】
室内機１に設けられている室内熱交換器１０は、接触する空気との間で熱交換を行う。ここでは、室内熱交換器１０は、図５に示すように、室内機１の前方に配置される前方熱交換器１０ｆと、後方に配置される後方熱交換器１０ｂによって構成されている。この前方熱交換器１０ｆの前方下端部の下方には、前方熱交換器１０ｆにおいて生じた空気中の水分の凝縮水を捕らえる前方ドレンパン６０が設けられている。そして、後方熱交換器１０ｂの後方下端部の下方には、後方熱交換器１０ｂにおいて生じた空気中の水分の凝縮水を捕らえる後方ドレンパン７０が設けられている。また、室内機１には、室内空気を吸い込んで室内熱交換器１０に通し熱交換が行われた後の空気を室内に排出するためのクロスフローファン１１が設けられている。クロスフローファン１１は、室内機１内に設けられる１つの室内ファンモータ１２によって回転駆動される。室内機１の側面図である図２、図４および図５に示すように、クロスフローファン１１が室内機ケーシング４内に配置されており、室内機ケーシング４には、吸込口４２が前方、上方に設けられ、吹出口４９が下方に設けられている。この室内機ケーシング４には、図３、図５に示すように、前面側においてフロントパネル４１が、背面側において据付板４３が、それぞれ設けられている。フロントパネル４１の内側に配置された前方熱交換器１０ｆの下方には、図３、４に示すように、前方ドレンパン６０が設けられている。この前方ドレンパン６０は、室内機１の長手方向に延びた水受け部６１と、長手方向の略中央付近において前後方向に部分的に貫通している溝部６２と、を有している。そして、この据付板４３の内側には、図５、図６に示すように、後方熱交換器１０ｂやクロスフローファン１１の回転軸部等を支持する背面フレーム５０が配置されている。背面フレーム５０の背面側下方には、図１０に示すように、断熱材９０が部分的に密着されている。室内熱交換器１０の前方熱交換器１０ｆと後方熱交換器１０ｂとは、室内機ケーシング４内において、吸込口との間に位置し、クロスフローファン１１を取り囲むように、互いに多段曲げされて配置されている。室内機１は、クロスフローファン１１が回転駆動すると、室内空気が室内熱交換器１０を介して取り込まれ、熱交換された調和空気を再び室内に戻すことにより、対象となる空間を空調する。
【００２６】
室外機２には、圧縮機２２と、圧縮機２２の吐出側に接続される四路切換弁２３と、圧縮機２２の吸入側に接続されるアキュムレータ２１と、四路切換弁２３に接続された室外熱交換器２０と、室外熱交換器２０に接続された膨張弁２４とが設けられている。膨張弁２４は、液閉鎖弁２６を介して配管に接続されており、この配管を介して室内熱交換器１０の一端と接続される。また、四路切換弁２３は、ガス閉鎖弁２７を介して配管に接続されており、この配管を介して室内熱交換器１０の他端と接続されている。また、室外機２には、室外熱交換器２０での熱交換後の空気を外部に排出するためのプロペラファン２８が設けられている。このプロペラファン２８は、室外ファンモータ２９によって回転駆動される。
【００２７】
以下、後方熱交換器１０ｂが空気中の水分を凝縮させて生じる凝縮水の排水機構について説明する。
【００２８】
＜背面フレーム５０＞
背面フレーム５０は、図５に示すように、室内機１の据付板４３と後方熱交換器１０ｂとの間に配置され、クロスフローファン１１を軸部分において支持するファン支持部５３や（図３参照）、吹出口４９からの吹出空気の流れ方向を調節するフラップ５９を回動可能に支持するフラップ支持部５７およびフラップ軸受け部５８や、後方熱交換器１０ｂにおいて生じた凝縮水を排水する後方ドレンパン７０を有している（図６〜図１０参照）。
【００２９】
ここで、背面フレーム５０の右側面断面図を図６に示す。そして、上面（図６中、矢印Ａで示す方向）から見た上面図を図７に、前面（図６中、矢印Ｂで示す方向）から見た前面図を図８に、背面（図６中、矢印Ｃで示す方向）から見た背面図を図９に、それぞれ示す。なお、図１０は、背面フレーム５０の背面図において、断熱材９０を取り付けた状態を示す。
【００３０】
この背面フレーム５０の後方ドレンパン７０には、図１１に示すように、前面側において後方熱交換器１０ｂから滴り落ちてくる凝縮水を背面側に送るための背面開口７１と、背面側において背面側に突出するように設けられた上方ドレンパン７２、下方ドレンパン７７、鉛直面部７５およびガイドリブ７６と、排水口８０と、が一体成型されて設けられている。鉛直面部７５は、上方ドレンパン７２の一端と下方ドレンパン７７との一端とを繋ぐように設けられている。なお、背面フレーム５０の背面図である図９において、一転鎖線で囲ったＰ部の部分拡大斜視図を、図１１に示す。
【００３１】
背面開口７１は、図１１、図７〜図１０に示すように、背面フレーム５０の前方側に配置されている後方熱交換器１０ｂにおいて生じた冷えた凝縮水を、背面フレーム５０の後方側に導くための開口であって、略鉛直方向に開口している。
【００３２】
排水口８０は、図９等に示すように、背面開口７１を介して背面側に導かれた凝縮水が、上方ドレンパン７２を伝って、ガイドリブ７６ａ〜７６ｃにガイドされることにより鉛直面部７５をまたぎ、下方ドレンパン７７を伝うという順序で流れて、最終的に凝縮水が導かれて排水される開口である。この排水口８０は、図示しないドレンホースが接続されることで、室内から室外に凝縮水を送り出すようになっている。なお、以下、図１１等において、図面上略左側（凝縮水が流れてくる方向）を「上流側」と称し、図面上略右側（凝縮水が流れていく方向）を「下流側」と称して、説明する。
【００３３】
上方ドレンパン７２は、背面開口７１を介して落下してくる凝縮水を受け止め、ガイドリブ７６ａにまで導く上方リブ７３と、上方底面部７４と、を有している。上方リブ７３は、上方底面部７４よりもわずかに上方に、長手方向において互いに並行に延びるように設けられている。この上方ドレンパン７２の上方リブ７３および上方底面部７４は、下方ドレンパン７７側に向けて凝縮水を流すことができるように、上流側から下流側にかけてわずかに傾斜（水平方向からおおよそ１度程度の傾斜）している。
【００３４】
ガイドリブ７６ａ〜７６ｃは、図１１に示すように、第１ガイドリブ７６ａと、第２ガイドリブ７６ｂと、第３ガイドリブ７６ｃとを有している。第１〜第３ガイドリブ７６ａ〜７６ｃは、いずれも、上流側において略水平方向（水平方向からおおよそ１度程度の傾斜）に延びた水平部分と、下流側において下流側下方に向けて略４５度に傾斜した傾斜部分と、が繋がった形状を有している。第１ガイドリブ７６ａの略水平部分の上流側端部は、上方ドレンパン７２の上方底面部７４の下流側端部と同一傾斜角度でなだらかに繋がっている。第２ガイドリブ７６ｂは、第１ガイドリブ７６ａから見て下流側下方に配置され、側面視においては互いに重ならないが、上面視においては第１ガイドリブ７６ａの傾斜部分の一部と第２ガイドリブ７６ｂの水平部分の一部とが互いに重なるように位置している。第３ガイドリブ７６ｃも同様に、第２ガイドリブ７６ｂから見て下流側下方に配置され、側面視においては互いに重ならないが、上面視においては第２ガイドリブ７６ｂの傾斜部分の一部と第３ガイドリブ７６ｃの水平部分の一部とが互いに重なるように位置している。
【００３５】
下方ドレンパン７７は、ガイドリブ７６ａ〜７６ｃの下方に位置している。上述した鉛直面部７５は、この下方ドレンパン７７の上流側端部と、上方ドレンパン７２（上方底面部７４）の下流側端部と、を鉛直方向に広がる面によって繋いでいる。この下方ドレンパン７７も、排水口８０に凝縮水を導くために、上流側から下流側にかけてわずかに傾斜（水平方向からおおよそ１度程度の傾斜）している。
【００３６】
＜断熱材９０＞
背面フレーム５０の下方ドレンパン７７の下方には、図１０に示すように、断熱材９０が密着されている。これにより、冷たい凝縮水を、下方ドレンパン７７上に沿って流して排水口にまで導く際に、下方ドレンパン７７が冷やされることがあっても、凝縮水が流れる部分の裏面（下面）に、空気中の水分が凝縮して２次的な凝縮水の付着が生じることを抑えることができる。
【００３７】
＜凝縮水の排水経路＞
後方熱交換器１０ｂにおいて凝縮されて生じる冷えた凝縮水は、上述した背面フレーム５０の背面開口７１を介して背面フレーム５０の背面側に導かれる。
【００３８】
この背面側に導かれた冷えた凝縮水は、上方ドレンパン７２（主として、上方リブ７３）が受け止めて、第１ガイドリブ７６ａの水平部分まで導く。
【００３９】
第１ガイドリブ７６ａの水平部分まで導かれた冷えた凝縮水は、第１ガイドリブ７６ａの傾斜部分を伝って、第１ガイドリブ７６ａの下流側端部から第２ガイドリブ７６ｂの水平部分に向けて滴り落ちる。第２ガイドリブ７６ｂの水平部分に滴り落ちた凝縮水は、第２ガイドリブ７６ｃの傾斜部分を伝って、第２ガイドリブ７６ｂの下流側端部から第３ガイドリブ７６ｃの水平部分に向けて滴り落ちる。第３ガイドリブ７６ｃの水平部分に滴り落ちた凝縮水は、第３ガイドリブ７６ｃの傾斜部分を伝って、第３ガイドリブ７６ｃの下流側端部から、下方ドレンパン７７に向けて滴り落ちる。
【００４０】
下方ドレンパン７７に滴り落ちた凝縮水は、下方ドレンパン７７のわずかな傾斜に従って、排水口８０まで導かれる。
【００４１】
このように、冷たい凝縮水は、鉛直面部７５を伝うことがないため、鉛直面部７５が冷やされることがない。これにより、鉛直面部７５の凝縮水が流れるガイドリブ７６ａ〜７６ｃが設けられている側とは反対側の面において、空気中の水分が凝縮して付着することが生じない。
【００４２】
また、冷たい凝縮水は、上方ドレンパン７２の上方リブ７３を沿うように流れ、上方底面部７４をあまり流れないため、上方底面部７４は冷やされにくい。これにより、上方底面部７４の下面側の面において、空気中の水分が凝縮して付着することが生じにくい。
【００４３】
＜本実施形態の空気調和装置１００の特徴＞
（１）
本実施形態の空気調和装置１００では、上述したように、断熱材９０は、上方ドレンパン７２に対して凝縮水が流れる側とは反対側の部分で、鉛直面部７５に対して凝縮水が流れる側とは反対側においては、特に設けられていない。これは、上方ドレンパン７２においては、冷えた凝縮水は、上方底面部７４ではなく、主として、上方リブ７３を沿うようにして流れている。このため、上方底面部７４は、冷えた凝縮水が伝いにくくなっており、冷やされにくいため、上方ドレンパン７２（上方底面部７４）の下面側には、空気中の水分が凝縮して２次的な凝縮水の付着が生じることがないからである。また、鉛直面部７５においては、冷えた凝縮水は、鉛直面部７５を沿うようにして流れ落ちるのではなく、主として、ガイドリブ７６ａ〜７６ｃを沿うようにして流れ落ちている。このため、鉛直面部７５は、冷えた凝縮水が伝いにくくなっており、冷やされにくいため、鉛直面部７５の裏面側（凝縮水が流れる側とは反対側）には、空気中の水分が凝縮して２次的な凝縮水の付着が生じることがないからである。
【００４４】
したがって、上述した断熱材９０は、鉛直面部７５や上方ドレンパン７２の上方底面部７４にまで圧接されるように設ける必要がない。このため、必要な断熱材９０の量を少なく抑えることができ、安価に空気調和機１００を製造することが可能になる。
【００４５】
なお、凝縮水の表面張力によって上方ドレンパン７２からから鉛直面部７５に向けて凝縮水が伝おうとしても、凝縮水の流れの下流側に向けてガイドリブ７６ａ〜７６ｃが延びて導くため、凝縮水が、鉛直面部７５側に伝うことを阻止することができる。これにより、冷たい凝縮水と鉛直面部７５との接触をより確実に回避することができる。
【００４６】
（２）
本実施形態の空気調和装置１００では、ガイドリブ７６ａ〜７６ｃの下方に傾斜している部分を有しているため、ガイドリブ７６ａ〜７６ｃの上面を流れた後に裏面を伝って鉛直面部７５にまで戻るような凝縮水の流れを阻止することができる。これにより、より確実に鉛直面部７５の冷却を避けることができる。
【００４７】
（３）
本実施形態の空気調和装置１００では、ガイドリブ７６ａ〜７６ｃ同士が互いに離れて配置されているため、例えば、第１ガイドリブ７６ａ上を凝縮水が伝うことによって第１ガイドリブ７６ａが冷やされたとしても、凝縮水は、下流側に離れた位置にある第２ガイドリブ７６ｂへと伝っていく。これにより、凝縮水によって冷やされる部分をできるだけ鉛直面部７５から離すことができる。さらに、第１ガイドリブ７６ａが冷やされることで第１ガイドリブ７６ａの裏面側において２次的な凝縮が生じたとしても、この２次的な凝縮によって生じた凝縮水は、鉛直面部７５に触れることなく、第１ガイドリブ７６ａの裏面を沿うようにして第１ガイドリブ７６ａの下流側から第２ガイドリブ７６ｂに導かれ、鉛直面部７５の冷却をより確実に回避することができる。
【００４８】
＜変形例＞
以上、本発明について説明したが、具体的な構成は、上記の実施の形態に限られるものではなく、発明の要旨を逸脱しない範囲で変更可能である。
【００４９】
（Ａ）
上述の第１実施形態における空気調和装置１００では、鉛直面部７５として、略鉛直方向に広がる面部材を例に挙げた。
【００５０】
しかし、本発明はこれに限られるものではなく、例えば、鉛直面部７５は、上端から下端に向けてわずかに下流側に傾斜した構成であってもよいし、わずかに上流側に傾斜した構成であってもよい。
【００５１】
（Ｂ）
上述の第１実施形態における空気調和装置１００では、鉛直面部７５の裏側（凝縮水が流れない側）および上方ドレンパン７２の裏面（凝縮水が流れない側）には断熱材９０が設けられていない場合について例に挙げて説明した。
【００５２】
しかし、本発明はこれに限られるものではなく、例えば、この位置、すなわち、鉛直面部７５の裏側（凝縮水が流れない側）および上方ドレンパン７２の裏面（凝縮水が流れない側）にも断熱材９０が延びるようにして設けられている構成であってもよい。
【００５３】
この場合には、２次的な結露の発生をより万全にふせぐことができる。
【産業上の利用可能性】
【００５４】
本発明を利用すれば、凝縮水の排出経路が、冷却による凝縮を回避したい部分をまたぐ構造になっている場合であっても、当該部分の冷却を回避することが可能になるため、特に、熱交換によって生じた凝縮水を排出口まで導いて排出する空気調和装置に適用することができる。
【図面の簡単な説明】
【００５５】
【図１】本発明の第１実施の形態が採用される空気調和装置の外観図。
【図２】冷媒回路の構成図。
【図３】室内機の概略斜視図。
【図４】室内機の内部構成を示す斜視図。
【図５】室内機の右側面断面図。
【図６】背面フレームの右側面断面図。
【図７】背面フレームの上面図。
【図８】背面フレームの正面図。
【図９】背面フレームの背面図。
【図１０】背面フレームに断熱材が取り付けられた状態を示す背面図。
【図１１】背面フレームのガイドリブ近傍の詳細構造を示す図。
【符号の説明】
【００５６】
１  室内機
２  室外機
１０ｂ  後方熱交換器（熱交換器）
７２  上方ドレンパン（高ガイド部）
７３  上方リブ
７４  上方底面部
７５  鉛直面部（所定鉛直部材）
７６ａ〜７６ｃ  第１ガイドリブ〜第３ガイドリブ（第１リブ〜第３リブ）
７７  下方ドレンパン（低ガイド部）
８０  排水口
１００  空気調和装置
【図１】
2008304184.tif 000003
【図２】
2008304184.tif 000004
【図３】
2008304184.tif 000005
【図４】
2008304184.tif 000006
【図５】
2008304184.tif 000007
【図６】
2008304184.tif 000008
【図７】
2008304184.tif 000009
【図８】
2008304184.tif 000010
【図９】
2008304184.tif 000011
【図１０】
2008304184.tif 000012
【図１１】
2008304184.tif 000013